(57)【要約】【課題】筒状軸の両端から条片を剥ぎ取ることにより異なる２種類の芯材を露出せしめることができる紙巻鉛筆型化粧品若しくは筆記具を与える。【解決手段】巻紙を巻いて形成される筒状軸及び該筒状軸の筒内に位置する棒状の芯材から成る、紙巻鉛筆型化粧品若しくは筆記用具であって、巻紙は基準線に関し逆方向に傾斜した複数の切離線を有し、該切離線によって多数の条片が形成され、条片を剥ぎ取ることにより芯材が露出するところの紙巻鉛筆型化粧品及び筆記用具であり、芯材は異なる特性を有する化粧料若しくは筆記具材料から成り、筒状軸の両端から条片を剥ぎ取ることにより、両端から芯材を露出せしめることができることを特徴とする、紙巻鉛筆型化粧品若しくは筆記用具。【選択図】図１
2004141229.tif 000002
【特許請求の範囲】
【請求項１】
巻紙を巻いて形成される筒状軸及び該筒状軸の筒内に位置する棒状の芯材から成る、紙巻鉛筆型化粧品若しくは筆記用具であって、
前記巻紙は基準線に関し逆方向に傾斜した複数の切離線を有し、該切離線によって多数の条片が形成され、
前記条片を剥ぎ取ることにより前記芯材が露出するところの紙巻鉛筆型化粧品及び筆記用具であり、
前記芯材は異なる特性を有する化粧料若しくは筆記具材料から成り、
前記筒状軸の両端から前記条片を剥ぎ取ることにより、両端から前記芯材を露出せしめることができることを特徴とする、紙巻鉛筆型化粧品若しくは筆記用具。
【請求項２】
請求項１に記載の紙巻鉛筆型化粧品若しくは筆記用具であって、
前記巻紙は、矩形のシートであり、該矩形の一方の長辺に対して所定の角度で傾斜した複数の切離線が形成された第１の部分と、該矩形の他方の長辺に対して所定の角度で傾斜した複数の切離線が形成された第２の部分とから成り、前記第１の部分と前記第２の部分の切離線は矩形の基準線に関して対称である、
ところの紙巻鉛筆型化粧品若しくは筆記用具。
【請求項３】
請求項１に記載の紙巻鉛筆型化粧品若しくは筆記用具であって、
前記巻紙は、矩形のシートであり、該矩形の一方の長辺に対して所定の角度で傾斜した複数の切離線が形成された第１の部分と、該矩形の他方の長辺に対して所定の角度で傾斜した複数の切離線が形成された第２の部分とから成り、前記第１の部分と前記第２の部分の切離線は矩形の基準線に関して非対称である、
ところの紙巻鉛筆型化粧品若しくは筆記用具。
【請求項４】
請求項１に記載の紙巻鉛筆型化粧品若しくは筆記用具であって、
前記巻紙は台形のシート部分を含み、該台形のシート部分は台形の一方の辺に沿って複数の切離線が形成された第１の部分と、台形の他方の辺に沿って複数の切離線が形成された第２の部分とから成り、前記第１の部分と第２の部分の切離線は台形の基準線に関して対称である、
ところの紙巻鉛筆型化粧品若しくは筆記用具。
【請求項５】
請求項１に記載の紙巻鉛筆型化粧品若しくは筆記用具であって、
前記巻紙は台形のシート部分を含み、該台形のシート部分は台形の一方の辺に沿って複数の切離線が形成された第１の部分と、台形の他方の辺に沿って複数の切離線が形成された第２の部分とから成り、前記第１の部分と第２の部分の切離線は台形の基準線に関して非対称である、
ところの紙巻鉛筆型化粧品若しくは筆記用具。
【請求項６】
紙巻鉛筆型化粧品若しくは筆記用具の製造方法であって、
基準線に関して逆方向に所定の角度で傾斜する複数の切離線を有する巻紙を形成する工程と、
前記巻紙の端縁部に棒状の２種類の化粧料若しくは筆記具材料から成る芯材を固定し、当該芯材に前記巻紙を巻きつけて筒状軸を形成する工程と、
から成る方法。
【請求項７】
請求項６に記載の方法であって、前記巻紙を形成する工程は、
前記基準線に関して一方側の面に前記基準線に対して所定の角度で傾斜した複数の切離線を形成する工程と、
前記基準線に関して他方側の面に前記基準線に対して所定の角度で傾斜した複数の切離線を形成する工程と、
から成る方法。
【請求項８】
請求項６に記載の方法であって、前記巻紙を形成する工程は、
基準線に関して逆方向に所定の角度で傾斜する複数の刃を有する切離線成形板によって、前記巻紙を押圧する工程から成る、
ところの方法。
【発明の詳細な説明】
【０００１】
【発明の属する技術分野】
本発明は、化粧品若しくは筆記具に関し、特に、紙巻鉛筆型化粧品若しくは筆記具及びその製造方法に関する。
【０００２】
【従来技術及び発明が解決しようとする課題】
従来、紙を巻いて形成した筒状軸を有する、リップ、リップライナー、アイブロウ、アイライナー、アイシャドウ、コンシーラー等の紙巻鉛筆型化粧品、若しくはクレヨン、色鉛筆、消しゴム等の紙巻鉛筆型筆記具が使用されている。ペンシル化粧品として棒状化粧料を剥脱可能に紙で巻いた紙巻化粧料が周知である（例えば、特許文献１参照）。また、紙巻棒状化粧料の製造方法も周知である（例えば、特許文献２参照）。
【０００３】
【特許文献１】
実開昭５５−９５６１２号公報
【０００４】
【特許文献２】
特許第２７４１０９７号公報
【０００５】
これらの紙巻鉛筆型化粧品若しくは筆記具は、一般的に、巻紙を巻いて形成する筒状軸及び筒状軸の筒内に位置する芯材から構成されており、筒状軸の一方の端部の巻紙を順次剥くことにより、芯材を徐々に露出させて使用する。
【０００６】
このような紙巻鉛筆型化粧品または筆記具は、芯材を露出させるために軸を削る必要がないため、手間が省ける。また、旅行に携帯する際などにも、削り器を必要としないため荷物を少なくすることができる。さらに、削り器から出る削り屑により使用者の手や衣服を汚す心配がない。
【０００７】
しかし、このような従来の紙巻鉛筆型化粧品若しくは筆記具は、筒状軸の一方端からのみ芯材が露出する構成となっているため、色を替えようとすると、２本必要になる。その結果、荷物が倍になって携帯性が悪くなるばかりか、経済的でないといった問題がある。
【０００８】
本願はこのような問題点に鑑みて為されたものである。したがって、本発明の目的は、携帯性及び経済性に優れ、１本で２種類の色を使用できる紙巻鉛筆型化粧品若しくは筆記具を与えることである。
【０００９】
また、本願の他の目的は、１本で２種類の色を兼ね備えた紙巻鉛筆型化粧品若しくは筆記具の製造方法を与えることである。
【００１０】
【課題を解決するための手段】
本発明に係る巻紙を巻いて形成される筒状軸及び該筒状軸の筒内に位置する棒状の芯材から成る、紙巻鉛筆型化粧品若しくは筆記用具は、
巻紙が基準線に関し逆方向に傾斜した複数の切離線を有し、該切離線によって多数の条片が形成され、
条片を剥ぎ取ることにより芯材が露出するところの紙巻鉛筆型化粧品及び筆記用具であり、
芯材は異なる特性を有する化粧料若しくは筆記具材料から成り、
筒状軸の両端から条片を剥ぎ取ることにより、両端から芯材を露出せしめることができることを特徴とする。
【００１１】
好適には、巻紙は、矩形のシートであり、該矩形の一方の長辺に対して所定の角度で傾斜した複数の切離線が形成された第１の部分と、該矩形の他方の長辺に対して所定の角度で傾斜した複数の切離線が形成された第２の部分とから成り、第１の部分と第２の部分の切離線は矩形の基準線に関して対称である。
【００１２】
変形的に、巻紙は、矩形のシートであり、該矩形の一方の長辺に対して所定の角度で傾斜した複数の切離線が形成された第１の部分と、該矩形の他方の長辺に対して所定の角度で傾斜した複数の切離線が形成された第２の部分とから成り、第１の部分と第２の部分の切離線は矩形の基準線に関して非対称である。
【００１３】
他に、巻紙は台形のシート部分を含み、該台形のシート部分は台形の一方の辺に沿って複数の切離線が形成された第１の部分と、該台形の他方の辺に沿って複数の切離線が形成された第２の部分とから成り、第１の部分と第２の部分の切離線は台形の基準線に関して対称である。
【００１４】
変形的に、巻紙は台形のシート部分を含み、該台形のシート部分は台形の一方の辺に沿って複数の切離線が形成された第１の部分と、台形の他方の辺に沿って複数の切離線が形成された第２の部分とから成り、第１の部分と第２の部分の切離線は台形の基準線に関して非対称である。
【００１５】
一方、本発明に係る紙巻鉛筆型化粧品若しくは筆記用具の製造方法は、
基準線に関して逆方向に所定の角度で傾斜する複数の切離線を有する巻紙を形成する工程と、
巻紙の端縁部に棒状の２種類の化粧料若しくは筆記具材料から成る芯材を固定し、当該芯材に巻紙を巻きつけて筒状軸を形成する工程と、
から成る。
【００１６】
好適に、巻紙を形成する工程は、
基準線に関して一方側の面に基準線に対して所定の角度で傾斜した複数の切離線を形成する工程と、
基準線に関して他方側の面に基準線に対して所定の角度で傾斜した複数の切離線を形成する工程と、
から成る。
【００１７】
他に、巻紙を形成する工程は、
基準線に関して逆方向に所定の角度で傾斜する複数の刃を有する切離線成形板によって、巻紙を押圧する工程から成る。
【００１８】
【発明の実施の態様】
以下、図面を参照しながら本願発明を詳細に説明する。図１は、本発明に係る紙巻鉛筆型化粧品若しくは筆記具の好適実施例を示したものである。紙巻鉛筆型化粧品若しくは筆記具１は筒状軸２及び該筒状軸２の中心に位置する芯材（５，６）から成る。該筒状軸２は巻紙３を筒状に巻いたものである。巻紙３には以下に詳細に説明するように、筒状軸２の軸線と垂直な方向に対してやや傾斜した複数の好適に平行な切離線（好適にはミシン目）８が施されており、該ミシン目８によって複数の条片４が形成される。各条片４には孔７が穿設されており、孔７は筒状軸２の軸線方向に一列を為している。孔７の下側には切離糸９が封入され、その先端及び後端が３〜５ｍｍ程度外側に露出している。芯材（５，６）は、色、硬さ等の特性が異なる２種類の化粧料若しくは筆記具材料から成る。芯材（５，６）は後に詳細に説明するように、予め棒状に成形した固形化粧料若しくは固形筆記具材料を使用してもよいが、溶融した化粧料若しくは筆記具材料を筒状軸２内部に流し込んで冷却固化し棒状に形成してもよい。使用者は切離糸９を引いて筒状軸２から条片４を引き離し、それを剥ぎ取ることにより、芯材（５，６）を露出せしめることができる。従来の紙巻鉛筆型化粧品は、筒状軸のいずれか一方の端部からのみ芯材を露出させて使用されてきた。本発明に係る紙巻鉛筆型化粧品１は、筒状軸２の両端から異なる色若しくは硬さを有する芯材（５，６）を露出させることが可能であるように構成されている。使用者は好みに応じて、いずれかの色を選択して使用することができる。紙巻鉛筆型化粧品１の両端には通常ペン先を保護するために透明若しくは半透明のプラスチック製のキャップ（図示せず）が装着されている。
【００１９】
図２は、図１の紙巻鉛筆型化粧料１の筒状軸２を形成する巻紙３を展開したものである。巻紙３は好適には長方形の再生紙シートから成る。巻紙３は長辺２２に対して所定の傾斜角度αを有する好適に平行な複数のミシン目２５が形成された第１の部分Ａと、長辺２１に対して所定の傾斜角度−αを有する好適に平行な複数のミシン目２４が形成された第２の部分Ｂから成る。傾斜角度αは芯材の太さ、材質、硬さ等に応じて適宜選択可能である。第１の部分Ａのミシン目２５及び第２の部分Ｂのミシン目２４は長方形シートの基準線（好適には中心線）Ｃに関して対称である。平行なミシン目の間には条片４が形成される。長方形巻紙シート３の短辺２６付近には、短辺２６に沿って条片ごとに孔７が穿設されている。孔７の近傍には巻紙３を巻いて筒状軸２を形成した際に孔７の下側になるような位置に、切離糸９が接着剤等により接着されている。切離糸９は例えば丈夫なナイロン製の糸から成り、その両端は巻紙３の長辺（２１，２２）から３〜５ｍｍ程度長い位置で切断される。巻紙３の短辺２６側には、短辺２６に沿って所定の幅の着色シート（図示せず）が貼着されている。該着色シートには商品名、品番、色番、イメージ模様等が記載されている。着色シートは紙巻鉛筆型化粧品の外皮を構成し、商品の見栄えを良くし、消費者の購買意欲を刺激するのに役立つ。芯材として棒状に成形した固形のものを使用する場合には、短辺２３に沿って芯材を配置し、芯材の回りに巻紙３を巻きつけることによって筒状軸２を形成する。
【００２０】
図７は、巻紙３の変形例を示したものである。巻紙７０は巻紙３と同様に長方形の再生紙シートから成る。巻紙７０は長辺７６に対して所定の傾斜角度αを有する好適に平行な複数のミシン目７４が形成された第１の部分Ａと、長辺７５に対して所定の傾斜角度−αを有する好適に平行な複数のミシン目７３が形成された第２の部分Ｂから成る。傾斜角度αは芯材の太さ、材質、硬さ等に応じて適宜選択可能である。第１の部分Ａのミシン目７４及び第２の部分Ｂのミシン目７３は長方形シートの基準線（好適には中心線）Ｃに関して非対称である。平行なミシン目７４の間には条片７２が形成され、平行なミシン目７３の間には条片７１が形成される。条片７１は条片７２に比べ幅が広い。このような巻紙７０は、第１の部分Ａ側の芯材よりも第２の部分Ｂ側の芯材が軟らかく、減り方が速い場合に適用される。巻紙としてこれ以外にも、　第１の部分Ａと第２の部分Ｂとでミシン目の傾斜角度が異なるもの、基準線Ｃが中心からずれたものなどが考えられる。
【００２１】
図３は、本発明に係る紙巻鉛筆型化粧品若しくは筆記具の他の実施例を示したものである。紙巻鉛筆型化粧品３０は筒状軸３１及び該筒状軸３１の中心に位置する芯材（３３，３４）から成る。該筒状軸３１は巻紙３２を筒状に巻いたものである。以下で詳細に説明するように、巻紙３２の外皮部分４１には、筒状軸３１の軸線と垂直な方向に沿って好適に平行な複数のミシン目３６が施されており、該ミシン目３６によって複数の条片３５が形成される。外皮部分４１の下側には切離糸３７が封入され、その先端及び後端が３〜５ｍｍ程度外側に露出している。芯材（３３，３４）は、色若しくは硬さの異なる２種類の化粧料若しくは筆記具材料から成る。芯材（３３，３４）は後に詳細に説明するように、予め棒状に成形した固形化粧料若しくは固形筆記具材料を使用してもよいが、溶融した化粧料若しくは筆記具材料を筒状軸３０内部に流し込んで冷却固化し棒状に形成してもよい。使用者は切離糸３７を引いて筒状軸３１から条片３５を引き離し、それを剥ぎ取ることにより、芯材（３３，３４）を露出せしめることができる。使用者は好みに応じて、いずれかの色を選択して使用することができる。紙巻鉛筆型化粧品３０の両端には通常ペン先を保護するために透明若しくは半透明のプラスチック製のキャップ（図示せず）が装着されている。
【００２２】
図４は、図３の紙巻鉛筆型化粧料３０の筒状軸３１を形成する巻紙３２を展開したものである。巻紙３２は台形部分４０及び長方形の外皮部分４１から成る。台形部分４０は、辺４３に沿って好適に平行な複数のミシン目４５が形成された第１の部分Ａと、辺４２に沿って好適に平行な複数のミシン目４４が形成された第２の部分Ｂから成る。第１の部分Ａのミシン目４５及び第２の部分Ｂのミシン目４４は台形シートの基準線（好適には中心線）Ｃに関して対称である。平行なミシン目の間には条片３５が形成される。長方形の外皮部分４１には長辺４６と垂直に複数のミシン目３６が形成されている。外皮部分４１は好適には、商品名、品番、色番、イメージ模様等が施された着色シートから成る。台形部分４０及び外皮部分４１は、それらの境界線４８において、ミシン目（４４，４５）とミシン目３６とが整合するように、接着剤等により接合される。境界線４８近傍には巻紙３２を巻いて筒状軸３１を形成した際に外皮部分４１の下側になるような位置に、切離糸３７が接着剤等により接着されている。切離糸３７は例えば丈夫なナイロン製の糸から成り、その両端は巻紙３２の辺（４２，４３）から３〜５ｍｍ程度長い位置で切断される。芯材として棒状に成形した固形のものを使用する場合には、辺４７に沿って芯材を配置し、芯材の回りに巻紙３２を巻きつけることによって筒状軸３１を形成する。図４の巻紙の変形例として、ミシン目４５とミシン目４４とが基準線Ｃに関して非対称なもの（例えば、ミシン目４５と基準線Ｃとの間の角度が、ミシン目４４と基準線Ｃとの間の角度と異なるもの、ミシン目４５が作る条片の幅がミシン目４４の作る条片の幅と異なるもの等）、基準線Ｃが巻紙の中心線からずれたもの等が考えられる。
【００２３】
次に、本発明に係る紙巻鉛筆型化粧品若しくは筆記具の製造方法について説明する。当該方法は、基準線に関して逆方向に所定の角度で傾斜する好適に平行な複数の切離線を有する巻紙を形成する工程を含む。
【００２４】
図５は、基準線に関して所定の角度で傾斜する好適に平行な複数の切離線を有する巻紙を形成するのに使用する装置を略示したものである。装置５０は好適に平行な複数の刃５５を有するカッターローラー５３、駆動ローラー５４、軸受け（５１，５２）及びテーブル５６から成る。駆動ローラー５４は例えばモーター等の駆動装置（図示せず）に連結されている。駆動装置からの回転力はベルト若しくはチェーンを介して駆動ローラー５４に伝達される。駆動ローラー５４が回転すると、それに伴ってカッターローラー５３が回転する。テーブル５６上に載置された巻紙５７は、カッターローラー５３及び駆動ローラー５４の間に挟まれ、図中矢印Ａ方向に移動される。巻紙５７がカッターローラー５３及び駆動ローラー５４の間を通過するとき、巻紙上に複数の平行なミシン目が形成される。カッターローラー５３に対してやや斜めに巻紙５７を配置することによって、巻紙上に傾斜したミシン目を形成することができる。
【００２５】
図２に示した巻紙３を形成する場合は、まず、第１の部分Ａをその長辺２２がカッターローラー５３の軸線と垂直な方向に対し角度αを有するように配置し、それをカッターローラー５３及び駆動ローラー５４の間に通すことによって、ミシン目２５を形成する。次に、第２の部分Ｂをその長辺２１がカッターローター５３の軸線と垂直な方向に対し角度−αを有するように配置し、それをカッターローラー５３及び駆動ローラー５４の間に通すことによって、ミシン目２４を形成する。変形的に、長方形シートを基準線Ｃで切断し、切断した第１の部分Ａ及び第２の部分Ｂにそれぞれミシン目２５及び２４を形成した後、それらを基準線Ｃで接合することによって巻紙３を形成してもよい。接合には例えば接着テープ等を使用することができる。最後に、パンチング機械によって、短辺２６に沿って一列に条片４毎に孔７を穿設する。
【００２６】
図７に示した巻紙７０を形成する場合は、刃５５の幅の異なる２種類のカッターローラーを使用することにより、上と同様に形成することができる。
【００２７】
図４に示した巻紙３２の台形部分４０を形成する場合は、まず、第１の部分Ａをその辺４３がカッターローラー５３の軸線と垂直になるように配置し、それをカッターローラー５３及び駆動ローラー５４の間に通すことによって、ミシン目４５を形成する。次に、第２の部分Ｂをその辺４２がカッターローラー５３の軸線と垂直になるように配置し、それをカッターローラー５３及び駆動ローラー５４の間に通すことによって、ミシン目４４を形成する。変形的に、所定の大きさの台形シートを基準線Ｃで切断し、切断した第１の部分Ａ及び第２の部分Ｂにそれぞれミシン目４５及び４４を形成した後、第１の部分Ａ及び第２の部分Ｂを基準線Ｃで接合することによって巻紙３２の台形部分４０を形成してもよい。続いて、着色シートである長方形の外皮部分４１をその辺４６がカッターローラー５３の軸線と平行になるように配置し、それをカッターローラー５３及び駆動ローラー５４の間に通すことによってミシン目３６を形成する。刃の間隔の異なる２種類のカッターローラーを使用することにより、基準線Ｃに関して非対称なミシン目を形成することもできる。最後に、台形部分４０及び着色シートの外皮部分４１を境界線４８においてそれぞれのミシン目が整合するように接合する。
【００２８】
次に、基準線に関して逆方向に所定の角度で傾斜する好適に平行な複数のミシン目を有する巻紙を形成する他の方法を説明する。基本的に図５に示される装置５０を使用するが、異なるのは、カッターローラー５３の替わりに図６に示されるカッターローラー６０を使用する点である。図６（ａ）及び（ｂ）はカッターローラー６０の正面図及び背面図を示したものである。カッターローラー６０の表面には、中心線６１に対して所定の角度αだけ傾斜した複数の平行な刃（６２，６３）が中心線６１に関して対称に形成されている。それぞれの刃は等間隔でかつスパイラル状に形成されている。カッターローラー６０の周囲の長さは図２に示した巻紙３の長辺の長さ及び図４に示した巻紙３２の台形部分４０の高さに等しい。
【００２９】
図６に示したカッターローラー６０を使って図２に示した巻紙３を形成する場合には、まず、短辺２６に沿って端部付近に着色シートを貼着した長方形の巻紙３の基準線Ｃをカッターローラー６０の中心線６１に合わせ、巻紙３の短辺２６をカッターローラー６０の境界線６４と位置合わせする。次に、駆動ローラー５４を回転させて巻紙３にミシン目（２４，２５）を同時に形成する。最後に、パンチング機械で孔７を穿設する。
【００３０】
同様に、図４に示した巻紙３２を形成する場合には、まず、巻紙の台形部分４０の基準線Ｃをカッターローラー６０の中心線６１に合わせ、台形部分４０の辺４９をカッターローラー６０の境界線６４と位置合わせする。次に、駆動ローラー５４を回転させて、巻紙の台形部分４０にミシン目（４４，４５）を同時に形成する。続いて、従来のカッターローラー５３によって着色シートである外皮部分４１にミシン目３６を形成する。最後に、台形部分４０及び外皮部分４１を、境界線４８においてそれぞれのミシン目が整合するように接合する。
【００３１】
基準線に関して非対称なミシン目を有する巻紙を形成する場合には、スパイラル状に形成された複数の平行な刃の角度及び／または間隔を適宜調整したカッターローラーを使用すればよい。
【００３２】
基準線に関して逆方向に所定の角度で傾斜する好適に平行な複数のミシン目を有する巻紙を形成するさらに他の方法として、平坦な切離線成形板によって巻紙シートを押圧する方法がある。切離線成形板の表面には、基準線に関して逆方向に所定の角度で傾斜する好適に平行な複数の刃が形成されている。該切離線成形板により所定の圧力で巻紙シートをプレスすることで切離線成形板上の刃の模様がミシン目として巻紙シートに転写される。
【００３３】
これらの方法によれば、一回の操作で基準線に関して逆方向に所定の角度で傾斜する複数の平行なミシン目を有する巻紙を形成することができるので、スループットが向上する。
【００３４】
また、本発明に係る紙巻鉛筆型化粧品若しくは筆記具の製造方法は、巻紙の一方の端部付近に巻紙の短辺と平行に切離糸を固定する工程を含む。図２の巻紙３に切離糸９を固定する場合には、巻紙を巻いて筒状軸を形成した際、孔７の下側に位置するように切離糸９を接着剤等で固定する。図４の巻紙３２に切離糸３７を固定する場合には、巻紙を巻いて筒状軸を形成した際、着色シートの下側に位置するように台形部分４０と外皮部分４１との境界線４８付近に該境界線４８に沿って切離糸３７を接着剤等で固定する。
【００３５】
さらに、本発明に係る紙巻鉛筆型化粧品若しくは筆記具の製造方法は、巻紙の端縁部に予め棒状に成形した２種類の色を有する芯材を固定し、当該芯材を巻紙に巻きつけて筒状軸を形成する工程を含む。これ以外にも、巻紙を円柱状の棒体に巻き付け端縁部を接着剤で固定し、該棒体を引き抜いて筒状軸を形成した後、該筒状軸の内部に両端から溶融した２種類の化粧料若しくは筆記具材料を交互に流し込み、固化させて芯材を形成する方法もある。
【００３６】
【効果】
本発明に係る紙巻鉛筆型化粧品若しくは筆記具によれば、両端から条片を剥ぎ取ることによって２種類の色の芯材を露出せしめることができ、携帯性及び経済性に優れたペンシル型化粧品若しくは筆記具を与えることができた。
【００３７】
本発明に係る紙巻鉛筆型化粧品若しくは筆記具の製造方法によれば、スループットを向上させることができ、その結果製造コストを下げることができた。
【図面の簡単な説明】
【図１】図１は、本発明に係る紙巻鉛筆型化粧品若しくは筆記具の好適実施例を示す。
【図２】図２は、図１の紙巻鉛筆型化粧品若しくは筆記具に使用する巻紙の展開図である。
【図３】図３は、本発明に係る紙巻鉛筆型化粧品若しくは筆記具の他の実施例を示す。
【図４】図４は、図３の紙巻鉛筆型化粧品若しくは筆記具に使用する巻紙の展開図である。
【図５】図５は、本発明に係る紙巻型鉛筆化粧品若しくは筆記具に使用する巻紙を製造するための装置の略示図である。
【図６】図６は、図５の装置に使用するカッターローラーの変形例を示す。
【図７】図７は、図２の巻紙の変形例を示す。
【符号の説明】
１　　　　　　紙巻鉛筆型化粧品若しくは筆記具
２　　　　　　筒状軸
３　　　　　　巻紙
４　　　　　　条片
５　　　　　　芯材
６　　　　　　芯材
７　　　　　　孔
８　　　　　　ミシン目
９　　　　　　切離糸
【図１】
2004141229.tif 000003
【図２】
2004141229.tif 000004
【図３】
2004141229.tif 000005
【図４】
2004141229.tif 000006
【図５】
2004141229.tif 000007
【図６】
2004141229.tif 000008
【図７】
2004141229.tif 000009